(57)【特許請求の範囲】
【請求項１】
チェックアウト装置に適用可能な、コンピュータによって実行される通貨種類切替方法であって、
前記チェックアウト装置が、ユーザによってクリックされる前記チェックアウト装置のボタンを使用して、支払のためのユーザ選択の通貨種類および支払チャネルを判定することと、
前記チェックアウト装置が、前記支払チャネルが前記ユーザ選択の通貨種類をサポートするかどうかを判断することと、
前記支払チャネルが前記ユーザ選択の通貨種類をサポートしない場合、前記チェックアウト装置が、ユーザに通貨種類の切り替えを求めることなく、前記ユーザ選択の通貨種類を、前記支払チャネルによってサポートされる通貨種類に切り替えることと、
を含み、
前記支払チャネルが前記ユーザ選択の通貨種類をサポートするかどうかを判断することが具体的には、
前記支払チャネルによってサポートされる一組の通貨種類を判定することと、
前記ユーザ選択の通貨種類が前記一組の通貨種類に属するかどうかを判断することと、
を含み、
前記支払チャネルが前記ユーザ選択の通貨種類をサポートしない場合、前記ユーザ選択の通貨種類を、前記支払チャネルによってサポートされる通貨種類に切り替えることが具体的には、
前記ユーザ選択の通貨種類が前記一組の通貨種類に属さない場合、前記ユーザ選択の通貨種類を前記一組の通貨種類内の通貨種類に切り替えること、
を含み、
前記ユーザ選択の通貨種類を、前記支払チャネルによってサポートされる通貨種類に切り替えることが具体的には、
前記ユーザの口座によってサポートされる第２の通貨種類を取得することと、
前記支払チャネルが前記第２の通貨種類をサポートするかどうかを判断することと、
前記支払チャネルが前記第２の通貨種類をサポートする場合、前記ユーザ選択の通貨種類を前記第２の通貨種類に切り替えることと、
を含み、
前記支払チャネルが前記第２の通貨種類をサポートする場合に前記ユーザ選択の通貨種類を前記第２の通貨種類に切り替えることが具体的には、
前記支払チャネルが前記第２の通貨種類をサポートする場合、前記支払の支払額を取得することと、
前記第２の通貨種類の口座残高または信用限度が前記支払額を上回るかどうかを判断することと、
前記第２の通貨種類の前記口座残高または前記信用限度が前記支払額を上回る場合、前記ユーザ選択の通貨種類を前記第２の通貨種類に切り替えることと、
を含む、通貨種類切替方法。
【請求項２】
為替レートに従って切替後の前記通貨種類の支払額を計算すること、
を更に含む、請求項１に記載の方法。
【請求項３】
チェックアウト装置に適用可能な、コンピュータによって実行される通貨種類切替方法であって、
前記チェックアウト装置が、ユーザによってクリックされる前記チェックアウト装置のボタンを使用して、支払のためのユーザ選択の通貨種類および支払チャネルを判定することと、
前記チェックアウト装置が、前記支払チャネルが前記ユーザ選択の通貨種類をサポートするかどうかを判断することと、
前記支払チャネルが前記ユーザ選択の通貨種類をサポートしない場合、前記チェックアウト装置が、前記支払チャネルを、前記ユーザ選択の通貨種類をサポートする支払チャネルに切り替えることと、
を含み、
前記支払チャネルが前記ユーザ選択の通貨種類をサポートするかどうかを判断することが具体的には、
前記支払チャネルによってサポートされる一組の通貨種類を判定することと、
前記通貨種類が前記一組の通貨種類に属するかどうかを判断することと、
を含み、
前記支払チャネルが前記ユーザ選択の通貨種類をサポートしない場合、前記支払チャネルを、前記ユーザ選択の通貨種類をサポートする支払チャネルに切り替えることが具体的には、
前記ユーザ選択の通貨種類が前記一組の通貨種類に属さない場合、前記支払チャネルを、前記ユーザ選択の通貨種類をサポートする前記支払チャネルに切り替えること、
を含み、
前記支払チャネルを、前記ユーザ選択の通貨種類をサポートする支払チャネルに切り替えることが具体的には、
前記ユーザ選択の通貨種類をサポートする第２の支払チャネルを取得することと、
前記第２の支払チャネルの過去の使用情報に従って、前記第２の支払チャネルから切り替えられるべき第２の支払チャネルを判定することと、
前記支払チャネルを、切り替えられるべき前記第２の支払チャネルに切り替えることと、
を含み、
前記第２の支払チャネルの過去の使用情報に従って前記第２の支払チャネルから切り替えられるべき第２の支払チャネルを判定することが具体的には、
前記第２の支払チャネルの過去の使用数に従って、切り替えられるべき前記第２の支払チャネルとして、最大の過去の使用数を伴う第２の支払チャネルを選択すること、
を含む、支払チャネル切替方法。
【請求項４】
前記第２の支払チャネルの過去の使用情報に従って前記第２の支払チャネルから切り替えられるべき第２の支払チャネルを判定することが具体的には、
前記第２の支払チャネルの最新の使用時間に従って、切り替えられるべき前記第２の支払チャネルとして、最近の使用時間を伴う第２の支払チャネルを選択すること、
を含む、請求項３に記載の方法。
【請求項５】
チェックアウト装置に適用され、装置のプロセッサを通じた動作のために不揮発性メモリ内の対応するコンピュータプログラム命令をメモリへ読み込むことによって論理装置として形成される通貨種類切替装置であって、
支払のためのユーザ選択の通貨種類および支払チャネルを取得する判定ユニットと、
前記支払チャネルが前記ユーザ選択の通貨種類をサポートするかどうかを判断する判断ユニットと、
前記支払チャネルが前記ユーザ選択の通貨種類をサポートしない場合、ユーザに通貨種類の切り替えを求めることなく、前記ユーザ選択の通貨種類を、前記支払チャネルによってサポートされる通貨種類に切り替える切替ユニットと、
を備え、
前記判断ユニットが具体的には、
前記支払チャネルによってサポートされる一組の通貨種類を判定する判定サブユニットと、
前記ユーザ選択の通貨種類が前記一組の通貨種類に属するかどうかを判断する判断サブユニットと、
を備え、
前記切替ユニットが具体的には、
前記ユーザ選択の通貨種類が前記一組の通貨種類に属さない場合、前記ユーザ選択の通貨種類を前記一組の通貨種類内の通貨種類に切り替えるように構成され、
前記切替ユニットが具体的には、
前記ユーザの口座によってサポートされる第２の通貨種類を取得する第１の取得サブユニットと、
前記支払チャネルが前記第２の通貨種類をサポートするかどうかを判断する第１の判断サブユニットと、
前記支払チャネルが前記第２の通貨種類をサポートする場合、前記ユーザ選択の通貨種類を前記第２の通貨種類に切り替える切替サブユニットと、
を備え、
前記切替サブユニットが具体的には、
前記支払チャネルが前記第２の通貨種類をサポートする場合、前記支払の支払額を取得する第２の取得サブユニットと、
前記第２の通貨種類の口座残高または信用限度が前記支払額を上回るかどうかを判断する第２の判断サブユニットと、
前記第２の通貨種類の前記口座残高または前記信用限度が前記支払額を上回る場合、前記ユーザ選択の通貨種類を前記第２の通貨種類に切り替える第２の切替サブユニットと、
を備える、通貨種類切替装置。
【請求項６】
為替レートに従って切替後の前記通貨種類の支払額を計算する計算ユニットを更に備える、請求項５に記載の装置。
【請求項７】
チェックアウト装置に適用され、装置のプロセッサを通じた動作のために不揮発性メモリ内の対応するコンピュータプログラム命令をメモリへ読み込むことによって論理装置として形成される通貨種類切替装置であって、
支払のためのユーザ選択の通貨種類および支払チャネルを判定する判定ユニットと、
前記支払チャネルが前記ユーザ選択の通貨種類をサポートするかどうかを判断する判断ユニットと、
前記支払チャネルが前記ユーザ選択の通貨種類をサポートしない場合、前記支払チャネルを、前記ユーザ選択の通貨種類をサポートする支払チャネルに切り替える切替ユニットと、
を備え、
前記判断ユニットが具体的には、
前記支払チャネルによってサポートされる一組の通貨種類を判定する判定サブユニットと、
前記ユーザ選択の通貨種類が前記一組の通貨種類に属するかどうかを判断する判断サブユニットと、
を備え、
それに応じて、前記切替ユニットが具体的には、
前記ユーザ選択の通貨種類が前記一組の通貨種類に属さない場合、前記支払チャネルを、前記通貨種類をサポートする前記支払チャネルに切り替えるように構成され、
前記切替ユニットが具体的には、
前記ユーザ選択の通貨種類をサポートする第２の支払チャネルを取得する取得サブユニットと、
前記第２の支払チャネルの過去の使用情報に従って、前記第２の支払チャネルから切り替えられるべき第２の支払チャネルを判定する判定サブユニットと、
前記支払チャネルを、切り替えられるべき前記第２の支払チャネルに切り替える切替サブユニットと、
を備え、
前記判定サブユニットが具体的には、
前記第２の支払チャネルの過去の使用数に従って、切り替えられるべき前記第２の支払チャネルとして、最大の過去の使用数を伴う第２の支払チャネルを選択するように構成される、支払チャネル切替装置。
【請求項８】
前記判定サブユニットが具体的には、
前記第２の支払チャネルの最新の使用時間に従って、切り替えられるべき前記第２の支払チャネルとして、最近の使用時間を伴う第２の支払チャネルを選択するように構成される、請求項７に記載の装置。
【発明の詳細な説明】
【技術分野】
【０００１】
本出願は、支払技術の技術分野に関し、特に通貨種類切替方法および装置に関する。
【背景技術】
【０００２】
一部の支払シナリオでは、種々の通貨種類が必要とされて、チェックアウト装置が多数の通貨種類をサポートすることができるので、ユーザは支払のための通貨種類を予め選択することができる。
【０００３】
図１に図示されるように、国際取引プラットフォームでは、ユーザは、電子製品を購入するときに、ＲＭＢ、ＵＳＤ、ＥＵＲ、ＧＢＰ、ＪＰＹおよびＫＲＷなどの種々の通貨種類を選択することができる。一般に、図２に図示されるように、ユーザは注文を出した後にチェックアウトインタフェースに入る：支払チャネル、すなわち「支払モード」を選択し、ここでユーザによって選択された支払チャネルは「アリペイ」であり、そして注文詳細を確かめた後に、ユーザは「支払」ボタンをクリックして支払を完了することができる。
【０００４】
従来の技術では、ユーザが支払チャネルを選択した後に、チェックアウト装置は、支払チャネルがユーザ選択の通貨種類をサポートするかどうかを検出する。１つのケースでは、ユーザ選択の通貨種類が、支払チャネルによってサポートされる通貨種類でないことがある。例えば、ユーザ選択の通貨種類がＪＰＹである一方で、支払チャネルはＪＰＹによる支払をサポートしない。支払チャネルがユーザ選択の通貨種類をサポートしないケースでは、チェックアウト装置は通常、ユーザ選択の通貨種類がサポートされず、支払が完了されることができないことをユーザに気づかせ、この場合、ユーザは、チェックアウトインタフェースを出て、通貨種類を再選択し、そして再び支払うことを求められる。
【０００５】
上述したように、ユーザは、通貨種類を変更するために３つのステップを完了する（チェックアウトプロセスを出て、通貨種類を再選択し、そして支払のために再びチェックアウトプロセスに入る）必要があり、これはユーザ体験に著しく影響を及ぼして、低支払効率に至る。
【発明の概要】
【発明が解決しようとする課題】
【０００６】
本出願は、従来の技術における低支払効率および不十分なユーザ体験の問題を解決する通貨種類切替方法および装置を提供する。
【課題を解決するための手段】
【０００７】
本出願の実施形態によって提供される通貨種類切替方法は、
支払のためのユーザ選択の通貨種類および支払チャネルを判定することと、
支払チャネルがユーザ選択の通貨種類をサポートするかどうかを判断することと、
支払チャネルがユーザ選択の通貨種類をサポートしない場合、通貨種類を、支払チャネルによってサポートされる通貨種類に切り替えることと、を含む。
【０００８】
任意選択で、支払チャネルがユーザ選択の通貨種類をサポートするかどうかを判断するステップは具体的には、
支払チャネルによってサポートされる一組の通貨種類を判定することと、
ユーザ選択の通貨種類が一組の通貨種類に属するかどうかを判断することと、を含み、
それに応じて、支払チャネルがユーザ選択の通貨種類をサポートしない場合、ユーザ選択の通貨種類を、支払チャネルによってサポートされる通貨種類に切り替えるステップは具体的には、
ユーザ選択の通貨種類が一組の通貨種類に属さない場合、ユーザ選択の通貨種類を一組の通貨種類内の通貨種類に切り替えることを含む。
【０００９】
任意選択で、ユーザ選択の通貨種類を、支払チャネルによってサポートされる通貨種類に切り替えるステップは具体的には、
ユーザの口座によってサポートされる第２の通貨種類を取得することと、
支払チャネルが第２の通貨種類をサポートするかどうかを判断することと、
支払チャネルが第２の通貨種類をサポートする場合、ユーザ選択の通貨種類を第２の通貨種類に切り替えることと、を含む。
【００１０】
任意選択で、支払チャネルが第２の通貨種類をサポートする場合にユーザ選択の通貨種類を第２の通貨種類に切り替えるステップは具体的には、
支払チャネルが第２の通貨種類をサポートする場合、支払の支払額を取得することと、
第２の通貨種類の口座残高または信用限度が支払額を上回るかどうかを判断することと、
第２の通貨種類の口座残高または信用限度が支払額を上回る場合、ユーザ選択の通貨種類を第２の通貨種類に切り替えることと、を含む。
【００１１】
任意選択で、本方法は、為替レートに従って切替後の通貨種類の支払額を計算することを更に含む。
【００１２】
本出願の実施形態によって提供される支払チャネル切替方法は、
支払のためのユーザ選択の通貨種類および支払チャネルを判定することと、
支払チャネルがユーザ選択の通貨種類をサポートするかどうかを判断することと、
支払チャネルがユーザ選択の通貨種類をサポートしない場合、支払チャネルを、ユーザ選択の通貨種類をサポートする支払チャネルに切り替えることと、を含む。
【００１３】
任意選択で、支払チャネルがユーザ選択の通貨種類をサポートするかどうかを判断することは具体的には、
支払チャネルによってサポートされる一組の通貨種類を判定することと、
ユーザ選択の通貨種類が一組の通貨種類に属するかどうかを判断することと、を含み、
それに応じて、支払チャネルがユーザ選択の通貨種類をサポートしない場合、支払チャネルを、通貨種類をサポートする支払チャネルに切り替えることは具体的には、
ユーザ選択の通貨種類が一組の通貨種類に属さない場合、支払チャネルを、通貨種類をサポートする支払チャネルに切り替えることを含む。
【００１４】
任意選択で、支払チャネルを、通貨種類をサポートする支払チャネルに切り替えることは具体的には、
ユーザ選択の通貨種類をサポートする第２の支払チャネルを取得することと、
第２の支払チャネルの過去の使用情報に従って、第２の支払チャネルから切り替えられるべき第２の支払チャネルを判定することと、
支払チャネルを、切り替えられるべき第２の支払チャネルに切り替えることと、を含む。
【００１５】
任意選択で、第２の支払チャネルの過去の使用情報に従って第２の支払チャネルから切り替えられるべき第２の支払チャネルを判定することは具体的には、
第２の支払チャネルの過去の使用数に従って、切り替えられるべき第２の支払チャネルとして、最大の過去の使用数を伴う第２の支払チャネルを選択することを含む。
【００１６】
任意選択で、第２の支払チャネルの過去の使用情報に従って第２の支払チャネルから切り替えられるべき第２の支払チャネルを判定することは具体的には、
第２の支払チャネルの最新の使用時間に従って、切り替えられるべき第２の支払チャネルとして、最近の使用時間を伴う第２の支払チャネルを選択することを含む。
【００１７】
本出願の実施形態によって提供される通貨種類切替装置は、
支払のためのユーザ選択の通貨種類および支払チャネルを取得する判定ユニットと、
支払チャネルがユーザ選択の通貨種類をサポートするかどうかを判断する判断ユニットと、
支払チャネルがユーザ選択の通貨種類をサポートしない場合、ユーザ選択の通貨種類を、支払チャネルによってサポートされる通貨種類に切り替える切替ユニットと、を含む。
【００１８】
任意選択で、判断ユニットは具体的には、
支払チャネルによってサポートされる一組の通貨種類を判定する判定サブユニットと、
ユーザ選択の通貨種類が一組の通貨種類に属するかどうかを判断する判断サブユニットと、を含み、
それに応じて、切替ユニットは具体的には、
ユーザ選択の通貨種類が一組の通貨種類に属さない場合、ユーザ選択の通貨種類を一組の通貨種類内の通貨種類に切り替えるように構成される。
【００１９】
任意選択で、切替ユニットは具体的には、
ユーザの口座によってサポートされる第２の通貨種類を取得する第１の取得サブユニットと、
支払チャネルが第２の通貨種類をサポートするかどうかを判断する第１の判断サブユニットと、
支払チャネルが第２の通貨種類をサポートする場合、ユーザ選択の通貨種類を第２の通貨種類に切り替える切替サブユニットと、を含む。
【００２０】
任意選択で、切替サブユニットは具体的には、
支払チャネルが第２の通貨種類をサポートする場合、支払の支払額を取得する第２の取得サブユニットと、
第２の通貨種類の口座残高または信用限度が支払額を上回るかどうかを判断する第２の判断サブユニットと、
第２の通貨種類の口座残高または信用限度が支払額を上回る場合、ユーザ選択の通貨種類を第２の通貨種類に切り替える第２の切替サブユニットと、を含む。
【００２１】
任意選択で、本装置は、為替レートに従って切替後の通貨種類の支払額を計算する計算ユニットを更に含む。
【００２２】
本出願の実施形態によって提供される支払チャネル切替装置は、
支払のためのユーザ選択の通貨種類および支払チャネルを判定する判定ユニットと、
支払チャネルがユーザ選択の通貨種類をサポートするかどうかを判断する判断ユニットと、
支払チャネルがユーザ選択の通貨種類をサポートしない場合、支払チャネルを、通貨種類をサポートする支払チャネルに切り替える切替ユニットと、を含む。
【００２３】
任意選択で、判断ユニットは具体的には、
支払チャネルによってサポートされる一組の通貨種類を判定する判定サブユニットと、
ユーザ選択の通貨種類が一組の通貨種類に属するかどうかを判断する判断サブユニットと、を含み、
それに応じて、切替ユニットは具体的には、
ユーザ選択の通貨種類が一組の通貨種類に属さない場合、支払チャネルを、通貨種類をサポートする支払チャネルに切り替えるように構成される。
【００２４】
任意選択で、切替ユニットは具体的には、
通貨種類をサポートする第２の支払チャネルを取得する取得サブユニットと、
第２の支払チャネルの過去の使用情報に従って、第２の支払チャネルから切り替えられるべき第２の支払チャネルを判定する判定サブユニットと、
支払チャネルを、切り替えられるべき第２の支払チャネルに切り替える切替サブユニットと、を含む。
【００２５】
任意選択で、判定サブユニットは具体的には、
第２の支払チャネルの過去の使用数に従って、切り替えられるべき第２の支払チャネルとして、最大の過去の使用数を伴う第２の支払チャネルを選択するように構成される。
【００２６】
任意選択で、判定サブユニットは具体的には、
第２の支払チャネルの最新の使用時間に従って、切り替えられるべき第２の支払チャネルとして、最近の使用時間を伴う第２の支払チャネルを選択するように構成される。
【発明の効果】
【００２７】
本出願の実施形態において、支払チャネルがユーザ選択の通貨種類をサポートしないという条件下で、ユーザ選択の通貨種類は、チェックアウトインタフェースで支払チャネルによってサポートされる通貨種類に自動的かつ直接に切り替えられることができる、またはユーザ選択の支払チャネルは、チェックアウトインタフェースで通貨種類をサポートする支払チャネルに自動的かつ直接に切り替えられることができる。したがって、ユーザが現在のチェックアウトインタフェースを出て、通貨種類を再選択し、そしてチェックアウトプロセスに再び入る必要はなく、このように支払効率およびユーザ体験を改善する。
【図面の簡単な説明】
【００２８】
【図１】本出願によって提供される注文確認インタフェースの図である。
【図２】本出願によって提供されるチェックアウトインタフェースの図である。
【図３】本出願の一実施形態によって提供される通貨種類切替方法のフローチャートである。
【図４】本出願によって提供される通貨種類切替の図である。
【図５】本出願の一実施形態によって提供される支払チャネル切替方法のフローチャートである。
【図６】本出願によって提供される支払チャネル切替の図である。
【図７】本出願によって提供される通貨種類切替装置が設けられる機器のハードウェア構造図である。
【図８】本出願の一実施形態によって提供される通貨種類切替装置のモジュール図である。
【図９】本出願によって提供される支払チャネル切替装置が設けられる機器のハードウェア構造図である。
【図１０】本出願の一実施形態によって提供される支払チャネル切替装置のモジュール図である。
【発明を実施するための形態】
【００２９】
ここで例証的な実施形態に詳細に参照がなされることになり、その例が添付図面に例示される。以下の説明は添付図面を参照するが、異なる図面における同じ番号は、別途指摘されない限り同じまたは同様の要素を表す。例証的な実施形態の以下の説明に述べられる実装例が本出願と合致する全ての実装例を表すわけではない。それよりも、それらは単に、添付の請求項に記載される本出願に関連した態様と合致する装置および方法の例である。
【００３０】
本出願で使用される用語は単に具体的な実施形態を記載する目的であり、本出願を限定するとは意図されない。本出願および添付の請求項で使用される単数形の用語「或る（ａ）」、「前記（ｓａｉｄ）」および「その（ｔｈｅ）」は、別途文脈において明示されない限り複数形も含むと意図される。本明細書で使用される用語「および／または」が１つまたは複数の関連して列記される単位体のいずれかまたは全ての可能な組合せを示しかつ含むことも理解されるべきである。
【００３１】
様々な情報を記載するために第１、第２および第３のなどの用語が本明細書で使用されることがあるが、そのような情報がこれらの用語に限定されるべきでないことが理解されるべきである。これらの用語は単に同じ種類の情報を互いから区別するために使用される。例えば、本出願の範囲内で、第１の情報が第２の情報とも称されてもよく、同様に、第２の情報が第１の情報とも称されてもよい。文脈次第で、本明細書で使用される用語「場合（ｉｆ）」は、「…とき（ｗｈｅｎ）」または「…上で（ｕｐｏｎ）」または「判定することに応じて（ｉｎ  ｒｅｓｐｏｎｓｅ  ｔｏ  ｄｅｔｅｒｍｉｎｉｎｇ）」と解釈されてもよい。
【００３２】
上記したように、ユーザが支払チャネルを選択した後に、チェックアウト装置が、支払チャネルがユーザ選択の通貨種類をサポートするかどうかを確かめる。１つのケースでは、ユーザ選択の通貨種類が、支払チャネルによってサポートされる通貨種類でないことがある。例えば、ユーザ選択の通貨種類がＪＰＹである一方で、支払チャネルはＪＰＹによる支払をサポートしない。支払チャネルがユーザ選択の通貨種類をサポートしないケースでは、チェックアウト装置は通常、選択された通貨種類がサポートされず、支払が完了されることができないことをユーザに気づかせ、この場合、ユーザは、チェックアウトインタフェースを出て、通貨種類を再選択し、そして再び支払うことを求められる。
【００３３】
ユーザは、通貨種類を変更するために３つのステップを完了する（チェックアウトプロセスを出て、通貨種類を再選択し、そして支払のために再びチェックアウトプロセスに入る）必要があり、これはユーザ体験に著しく影響を及ぼして、低支払効率に至る。
【００３４】
上記の問題を解決するために、本出願の一実施形態によって提供される通貨種類切替方法のフローチャートである図３を参照すると、本方法は、支払用途のためのチェックアウト装置に適用され、以下のステップを含む。
ステップ１１０：支払のためのユーザ選択の通貨種類および支払チャネルを判定する。
【００３５】
本実施形態において、支払のための通貨種類を選択した後に、ユーザは支払うためにチェックアウトインタフェースに入り、そしてユーザはチェックアウトインタフェースにおいて支払チャネルも選択することができる。
【００３６】
チェックアウト装置は、支払のためのユーザ選択の通貨種類および支払チャネルを判定することができる。
【００３７】
通貨種類または支払チャネルがユーザによって選択されることができる、または既定値を有することが留意されるべきである。例えば、前回使用された支払チャネルが既定で現在の支払のための支払チャネルとされてもよく、かつ前回使用された通貨種類が既定で現在の支払のための通貨種類とされてもよい。
【００３８】
図２に図示されるチェックアウトインタフェースの図において、チェックアウト装置は、注文額における情報に従って通貨種類をＲＭＢと判定し、そして支払モードにおける黒いボックス内の内容に従って支払チャネルをアリペイと判定することができる。
【００３９】
本出願の実施形態において支払に関与する技術的キャリアは、例えば、近距離無線通信（ＮＦＣ）、ＷＩＦＩ、３Ｇ／４Ｇ／５Ｇ、ＰＯＳカードスワイプ技術、２次元コードスキャン技術、バーコードスキャン技術、ブルートゥース（登録商標）、赤外線、ショートメッセージサービス（ＳＭＳ）、マルチメディアメッセージサービス（ＭＭＳ）等を含んでもよい。
【００４０】
ステップ１２０：支払チャネルが通貨種類をサポートするかどうかを判断する。
【００４１】
本実施形態において、通貨種類および支払チャネルを判定した後に、チェックアウト装置は、支払チャネルが取得した通貨種類をサポートするかどうかを判断することができる。
【００４２】
支払チャネルが通貨種類をサポートしないと判定される場合、続くステップ１３０が実行されてもよい。
【００４３】
支払チャネルが通貨種類をサポートすると判定される場合、チェックアウト装置は、いかなる更なる処理もなく、ユーザが支払を確認するのを待つ必要があるだけである。
【００４４】
ステップ１３０：支払チャネルが通貨種類をサポートしない場合、通貨種類を、支払チャネルによってサポートされる通貨種類に切り替える。
【００４５】
本実施形態において、支払チャネルが通貨種類をサポートしない場合、通貨種類は、支払チャネルによってサポートされる通貨種類に切り替えられることができる。
【００４６】
具体的には、支払チャネルが通貨種類をサポートするかどうかを判断するステップ１２０は、
支払チャネルによってサポートされる一組の通貨種類を判定することと、
通貨種類が一組の通貨種類に属するかどうかを判断することと、を含んでもよく、
それに応じて、ステップ１３０は具体的には、
通貨種類が一組の通貨種類に属さない場合、ユーザ選択の通貨種類を一組の通貨種類内の通貨種類に切り替えることを含んでもよい。
【００４７】
本実施形態において、各支払チャネルは一組の通貨種類を有してもよく、そして一組の通貨種類は、支払チャネルによってサポートされる少なくとも１つの通貨種類を含む。
【００４８】
例えば、図４に図示されるように、支払のためのユーザ選択の通貨種類が破線のボックス１１内に示されるようにＵＳＤであり、そして支払チャネルが破線のボックス１２内に示されるようにアリペイである。アリペイによってサポートされる一組の通貨種類が｛ＲＭＢ、ＥＵＲ、ＧＢＰ｝であると仮定すると、ＵＳＤが｛ＲＭＢ、ＥＵＲ、ＧＢＰ｝内になく、アリペイがＵＳＤ支払をサポートしないことを意味するので、ユーザ選択の通貨種類は、破線のボックス１３内に示されるように、｛ＲＭＢ、ＥＵＲ、ＧＢＰ｝内のいずれかの通貨種類に、すなわち、ＲＭＢに切り替えられることができる。
【００４９】
本出願の実施形態によれば、支払チャネルがユーザ選択の通貨種類をサポートしないという条件下で、ユーザ選択の通貨種類は、チェックアウトインタフェースで支払チャネルによってサポートされる通貨種類に自動的かつ直接に切り替えられることができる。したがって、ユーザが現在のチェックアウトインタフェースを出て、通貨種類を再選択する必要はなく、このように支払効率およびユーザ体験を改善する。
【００５０】
図３に図示される実施形態に基づき、本方法が、為替レートに従って切替後の通貨種類の支払額を計算することを更に含んでもよいことが留意されるべきである。
【００５１】
本実施形態において、送金はリアルタイム為替レート、例えば、銀行からのリアルタイム送金であってもよい。
【００５２】
図４に破線のボックス１３内に示されるように、通貨種類切替の他に、ＵＳＤ ＲＭＢ為替レートに従って１００ＵＳＤと６９４．４７ＲＭＢが交換されることができることが計算されることもできる。
【００５３】
本実施形態によれば、切替後の支払額の変更が更に改善され、その結果ユーザは便宜に変更を見ることができ、そしてユーザ体験が更に改善される。
【００５４】
実際的応用では、ユーザの口座によってサポートされる通貨種類も限定されて、全ての通貨種類がサポートされるわけではない。例えば、ユーザＡの口座は２種類の支払：ＲＭＢ支払およびＵＳＤ支払をサポートするだけである。したがって、チェックアウトインタフェース上の切替後の通貨種類が支払チャネルによってサポートされるがユーザの口座によってサポートされないことがあり、これもやはり支払を不可能にする。
【００５５】
この問題を解決するために、本出願の別の実施形態において、通貨種類を、支払チャネルによってサポートされる通貨種類に切り替えるステップは、
Ａ１：ユーザの口座によってサポートされる第２の通貨種類を取得することと、
Ａ２：支払チャネルが第２の通貨種類をサポートするかどうかを判断することと、
Ａ３：支払チャネルが第２の通貨種類をサポートする場合、ユーザ選択の通貨種類を第２の通貨種類に切り替えることと、を含んでもよい。
【００５６】
例えば、最初にユーザによって選択される通貨種類がＵＳＤであり、そして支払チャネルによってサポートされる通貨種類がＲＭＢ、ＥＵＲおよびＧＢＰであると仮定すると、支払チャネルがユーザ選択のＵＳＤをサポートしないので、ＵＳＤは、支払チャネルによってサポートされる通貨種類に切り替えられる必要がある。
【００５７】
この場合、ユーザの口座によってサポートされる第２の通貨種類が取得される。
【００５８】
第２の通貨種類がユーザ選択の通貨種類以外の通貨種類であってもよいことが留意されるべきである。例えば、ユーザの口座によってサポートされる通貨種類がＵＳＤ、ＪＰＹ、ＲＭＢおよびＥＵＲであり、そしてＵＳＤを外した後で、第２の通貨種類はＪＰＹ、ＲＭＢおよびＥＵＲであってもよい。
【００５９】
ＪＰＹがそれでも支払チャネルによってサポートされる通貨種類でないので、次の第２の通貨種類（ＲＭＢ）に関する判定が必要とされる。
【００６０】
ＲＭＢが支払チャネルによってサポートされる通貨種類であるので、ユーザ選択の通貨種類は元のＵＳＤからＲＭＢに切り替えられることができる。
【００６１】
ＥＵＲが切替後の通貨種類として使用されることもできるが、切替効率を改善するために、「先着順サービス」の原則が採用されることができることが留意されるべきである。ＲＭＢが既に支払チャネルによってサポートされる通貨種類であるので、もはや支払チャネルがＥＵＲをサポートするかどうかを判断する必要はない。
【００６２】
本実施形態において、支払チャネルが通貨種類をサポートしないとき、ユーザの口座によってサポートされる第２の通貨種類が取得され、そして支払チャネルが第２の通貨種類をサポートすると判定された後に、ユーザ選択の通貨種類は第２の通貨種類に切り替えられる。このようにして、切替後の通貨種類がユーザの口座によってサポートされる通貨種類であることが保証されることができる。
【００６３】
実際的応用では、ユーザの口座が切替後の通貨種類をサポートする場合であっても、口座残高または信用限度不足の問題が発生することがある。
【００６４】
問題を解決するために、本出願の別の実施形態において、支払チャネルが第２の通貨種類をサポートする場合にユーザ選択の通貨種類を第２の通貨種類に切り替えるステップＡ３は具体的には、
Ａ３１：支払チャネルが第２の通貨種類をサポートする場合、現在の支払の支払額を取得することと、
Ａ３２：第２の通貨種類の口座残高または信用限度が支払額を上回るかどうかを判断することと、
Ａ３３：第２の通貨種類の口座残高または信用限度が支払額を上回る場合、ユーザ選択の通貨種類を第２の通貨種類に切り替えることと、を含んでもよい。
【００６５】
本実施形態において、口座残高は口座における残高またはデビットカードの残高であってもよい。
【００６６】
信用限度はクレジットカードの残り限度を含む。
【００６７】
「上回る」は超えるまたは等しいを意味する。
【００６８】
図４に図示されるように、支払チャネルがＲＭＢ（第２の通貨種類）をサポートするという条件下で、現在の支払の支払額１００ＵＳＤ、すなわち６９４．４７ＲＭＢが取得される。
【００６９】
ユーザの口座残高が１，０００ＲＭＢであると仮定すると、ＲＭＢでの口座残高は支払額を上回って支払がなされることができるので、ユーザ選択の通貨種類は元のＵＳＤからＲＭＢに切り替えられることができる。
【００７０】
本実施形態によれば、切替後の通貨種類はユーザの口座によってサポートされる。その上、切替後の通貨種類の口座残高または信用限度は支払額を上回り、このように口座残高または信用限度不足によって引き起こされる支払失敗問題を回避する。
【００７１】
同様に、従来の技術における低支払効率および不十分なユーザ体験の問題を解決するために、本出願の一実施形態によって提供される支払チャネル切替方法のフローチャートである図５を参照すると、本方法は、支払用途のためのチェックアウト装置に適用され、以下のステップを含む。
【００７２】
ステップ２１０：支払のためのユーザ選択の通貨種類および支払チャネルを判定する。
【００７３】
本実施形態において、ステップ２１０は上記実施形態におけるステップ１１０と同じであり、ここで繰り返されることはない。
【００７４】
ステップ２２０：支払チャネルが通貨種類をサポートするかどうかを判断する。
【００７５】
本実施形態において、支払チャネルが通貨種類をサポートしないと判定される場合、続くステップ２３０が実行されてもよい。
【００７６】
支払チャネルが通貨種類をサポートすると判定される場合、チェックアウト装置は、いかなる処理もなく、ユーザが支払を確認するのを待つ必要があるだけである。
【００７７】
ステップ２３０：支払チャネルが通貨種類をサポートしない場合、支払チャネルを、通貨種類をサポートする支払チャネルに切り替える。
【００７８】
本実施形態において、支払チャネルが通貨種類をサポートしない場合、支払チャネルは、通貨種類をサポートする支払チャネルに切り替えられることができる。
【００７９】
具体的には、支払チャネルが通貨種類をサポートするかどうかを判断するステップ２２０は、
支払チャネルによってサポートされる一組の通貨種類を判定することと、
通貨種類が一組の通貨種類に属するかどうかを判定することと、を含んでもよく、
それに応じて、ステップ２３０は具体的には、
通貨種類が一組の通貨種類に属さない場合、支払チャネルを、通貨種類をサポートする支払チャネルに切り替えることを含んでもよい。
【００８０】
本実施形態において、各支払チャネルは一組の通貨種類を有してもよく、そして一組の通貨種類は、支払チャネルによってサポートされる少なくとも１つの通貨種類を含む。
【００８１】
例えば、図６に図示されるように、支払のためのユーザ選択の通貨種類が破線のボックス２１内に示されるようにＵＳＤであり、そして支払チャネルが破線のボックス２２内に示されるようにアリペイである。アリペイによってサポートされる一組の通貨種類が｛ＲＭＢ、ＥＵＲ、ＧＢＰ｝であると仮定すると、ＵＳＤが｛ＲＭＢ、ＥＵＲ、ＧＢＰ｝内になく、アリペイがＵＳＤ支払をサポートしないことを意味するので、アリペイは、ＵＳＤをサポートする支払チャネルに切り替えられる必要がある。
【００８２】
「銀行カード＊＊＊＊  ＊＊＊＊  ＊＊＊＊  ７１５２」によってサポートされる一組の通貨種類が｛ＲＭＢ、ＵＳＤ｝であると仮定すると、ＵＳＤ支払がサポートされるので、アリペイは、破線のボックス２３内に示されるように、「銀行カード＊＊＊＊  ＊＊＊＊  ＊＊＊＊  ７１５２」に切り替えられることができる。
【００８３】
本出願の実施形態によれば、支払チャネルがユーザ選択の通貨種類をサポートしないという条件下で、ユーザ選択の支払チャネルは、チェックアウトインタフェースで通貨種類をサポートする支払チャネルに自動的かつ直接に切り替えられることができる。したがって、ユーザが現在のチェックアウトインタフェースを出て、通貨種類を再選択する必要はなく、このように支払効率およびユーザ体験を改善する。
【００８４】
支払チャネル切替中に、通貨種類をサポートする多数の支払チャネルが同時にあってもよく、実際的応用では、切り替えられるべき支払チャネルとして、いずれかの支払チャネルがランダムに選択されてもよいことが留意されるべきである。
【００８５】
具体的な実施形態において、支払チャネルを、通貨種類をサポートする支払チャネルに切り替えることは具体的には、
Ｂ１：通貨種類をサポートする第２の支払チャネルを取得することと、
Ｂ２：第２の支払チャネルの過去の使用情報に従って、第２の支払チャネルから切り替えられるべき第２の支払チャネルを判定することと、
Ｂ３：支払チャネルを、切り替えられるべき第２の支払チャネルに切り替えることと、を含む。
【００８６】
本実施形態において、過去の使用情報は、第２の支払チャネルの過去の使用数、すなわち、ユーザが第２の支払チャネルを使用して正常に支払をした回数であってもよい。
【００８７】
代替的に、過去の使用情報は、第２の支払チャネルの最新の使用時間、すなわち、ユーザが第２の支払チャネルを使用して正常に支払をした最後の時間であってもよい。
【００８８】
過去の使用数に関しては、ステップＢ２は具体的には、
第２の支払チャネルの過去の使用数に従って、切り替えられるべき第２の支払チャネルとして、最大の過去の使用数を伴う第２の支払チャネルを選択することを含んでもよい。
【００８９】
例えば、支払のためのユーザ選択の通貨種類がＵＳＤであり、そして２つの第２の支払チャネル：銀行カードＡおよび銀行カードＢがあると仮定すると、銀行カードＡの過去の使用数が１００であり、そして銀行カードＢの過去の使用数が５０である場合、銀行カードＡが、切り替えられるべき第２の支払チャネルとして判定されることができる。
【００９０】
最新の使用時間に関しては、ステップＢ２は具体的には、
第２の支払チャネルの最新の使用時間に従って、切り替えられるべき第２の支払チャネルとして、最近の使用時間を伴う第２の支払チャネルを選択することを含んでもよい。
【００９１】
例えば、支払のためのユーザ選択の通貨種類がＵＳＤであり、そして２つの第２の支払チャネル：銀行カードＡおよび銀行カードＢがあると仮定すると、銀行カードＡの最新の使用時間が２０１６年１０月１０日であり、そして銀行カードＢの最新の使用時間が２０１６年１０月１１日である場合、銀行カードＢが、切り替えられるべき第２の支払チャネルとして判定されることができる。
【００９２】
本実施形態によれば、支払チャネル切替中に、通貨種類をサポートする多数の第２の支払チャネルが同時にあり、そして第２の支払チャネルの過去の使用情報に基づいて、切り替えられるべき第２の支払チャネルとして、最大の過去の使用数を伴うまたは最近の最新の使用時間を伴う第２の支払チャネルが選択されることができ、その結果切替後の支払チャネルはユーザの過去の使用習慣により即している。
【００９３】
通貨種類切替方法の上記実施形態に対応して、本出願は、通貨種類切替装置の実施形態も提供する。
【００９４】
本出願の通貨種類切替装置の実施形態は、支払用途のためのチェックアウト装置に適用されることができる。本装置の実施形態は、ソフトウェアによって、またはハードウェア、もしくは、ハードウェアおよびソフトウェアの組合せによって実装されてもよい。一例としてソフトウェア実装をとると、論理装置として、本装置は、本装置が設けられる機器のプロセッサを通じた動作のために不揮発性メモリ内の対応するコンピュータプログラム命令をメモリへ読み込むことによって形成される。ハードウェアの観点では、本出願によって提供される通貨種類切替装置が設けられる機器のハードウェア構造図である図７に図示されるように、図７に図示されるプロセッサ、ネットワークインタフェース、メモリおよび不揮発性メモリに加えて、実施形態における本装置が設けられる機器は、実際の通貨種類切替機能に従って他のハードウェアも含んでもよいが、ここで詳細に記載されることはない。
【００９５】
本出願の一実施形態によって提供される通貨種類切替装置のモジュール図である図８を参照すると、本装置は、判定ユニット３１０、判断ユニット３２０および切替ユニット３３０を含んでおり、
判定ユニット３１０は、支払のためのユーザ選択の通貨種類および支払チャネルを判定し、
判断ユニット３２０は、支払チャネルが通貨種類をサポートするかどうかを判断し、そして
切替ユニット３３０は、支払チャネルが通貨種類をサポートしない場合、通貨種類を、支払チャネルによってサポートされる通貨種類に切り替える。
【００９６】
本実施形態によれば、支払チャネルがユーザ選択の通貨種類をサポートしないとき、ユーザ選択の通貨種類は、チェックアウトインタフェースで支払チャネルによってサポートされる通貨種類に自動的かつ直接に切り替えられることができる。したがって、ユーザが現在のチェックアウトインタフェースを出て、通貨種類を再選択する必要はなく、このように支払効率およびユーザ体験を改善する。
【００９７】
任意選択の実装例では、
判断ユニット３２０は具体的には、
支払チャネルによってサポートされる一組の通貨種類を判定する判定サブユニットと、
通貨種類が一組の通貨種類に属するかどうかを判断する判断サブユニットと、を含み、
それに応じて、切替ユニット３３０は具体的には、
通貨種類が一組の通貨種類に属さない場合、ユーザ選択の通貨種類を一組の通貨種類内の通貨種類に切り替えるように構成される。
【００９８】
本実施形態によれば、支払チャネルがユーザ選択の通貨種類をサポートしないという条件下で、ユーザ選択の通貨種類は、チェックアウトインタフェースにおいて支払チャネルによってサポートされる一組の通貨種類における通貨種類に自動的かつ直接に切り替えられることができる。したがって、ユーザが現在のチェックアウトインタフェースを出て、通貨種類を再選択する必要はなく、このように支払効率およびユーザ体験を改善する。
【００９９】
任意選択の実装例では、
切替ユニット３３０は具体的には、
ユーザの口座によってサポートされる第２の通貨種類を取得する第１の取得サブユニットと、
支払チャネルが第２の通貨種類をサポートするかどうかを判断する第１の判断サブユニットと、
支払チャネルが第２の通貨種類をサポートする場合、ユーザ選択の通貨種類を第２の通貨種類に切り替える切替サブユニットと、を含む。
【０１００】
本実施形態において、支払チャネルが通貨種類をサポートしないとき、ユーザの口座によってサポートされる第２の通貨種類が取得され、そして支払チャネルが第２の通貨種類をサポートすると判定された後に、ユーザ選択の通貨種類は第２の通貨種類に切り替えられる。このようにして、切替後の通貨種類がユーザの口座によってサポートされる通貨種類であることが保証されることができる。
【０１０１】
任意選択の実装例では、
切替サブユニットは具体的には、
支払チャネルが第２の通貨種類をサポートする場合、現在の支払の支払額を取得する第２の取得サブユニットと、
第２の通貨種類の口座残高または信用限度が支払額を上回るかどうかを判断する第２の判断サブユニットと、
第２の通貨種類の口座残高または信用限度が支払額を上回る場合、ユーザ選択の通貨種類を第２の通貨種類に切り替える第２の切替サブユニットと、を含む。
【０１０２】
本実施形態によれば、切替後の通貨種類はユーザの口座によってサポートされ、その上に、切替後の通貨種類の口座残高または信用限度は支払額を上回り、このように口座残高または信用限度不足によって引き起こされる支払失敗問題を回避する。
【０１０３】
任意選択の実装例では、
本装置は、
為替レートに従って切替後の通貨種類の支払額を計算する計算ユニットを更に含む。
【０１０４】
本実施形態によれば、切替後の支払額の変更が更に改善され、その結果ユーザは便宜に変更を見ることができ、そしてユーザ体験が更に改善される。
【０１０５】
支払チャネル切替方法の上記実施形態に対応して、本出願は、支払チャネル切替装置の実施形態も提供する。
【０１０６】
本出願の支払チャネル切替装置の実施形態は、支払用途のためのチェックアウト装置に適用されることができる。本装置の実施形態は、ソフトウェアによって、またはハードウェア、もしくは、ハードウェアおよびソフトウェアの組合せによって実装されてもよい。一例としてソフトウェア実装をとると、論理装置として、本装置は、本装置が設けられる機器のプロセッサを通じた動作のために不揮発性メモリ内の対応するコンピュータプログラム命令をメモリへ読み込むことによって形成される。ハードウェアの観点では、本出願によって提供される支払チャネル切替装置が設けられる機器のハードウェア構造図である図９に図示されるように、図９に図示されるプロセッサ、ネットワークインタフェース、メモリおよび不揮発性メモリに加えて、実施形態における本装置が設けられる機器は、実際の支払チャネル切替機能に従って他のハードウェアも含んでもよいが、ここで詳細に記載されることはない。
【０１０７】
本出願の一実施形態によって提供される支払チャネル切替装置のモジュール図である図１０を参照すると、本装置は、判定ユニット４１０、判断ユニット４２０および切替ユニット４３０を含んでおり、
判定ユニット４１０は、支払のためのユーザ選択の通貨種類および支払チャネルを判定し、
判断ユニット４２０は、支払チャネルが通貨種類をサポートするかどうかを判断し、そして
切替ユニット４３０は、支払チャネルが通貨種類をサポートしない場合、通貨種類をサポートする支払チャネルに切り替わる。
【０１０８】
本出願の実施形態によれば、支払チャネルがユーザ選択の通貨種類をサポートしないという条件下で、ユーザ選択の支払チャネルは、チェックアウトインタフェースで通貨種類をサポートする支払チャネルに自動的かつ直接に切り替えられることができる。したがって、ユーザが現在のチェックアウトインタフェースを出て、通貨種類を再選択する必要はなく、このように支払効率およびユーザ体験を改善する。
【０１０９】
任意選択の実装例では、
判断ユニット４２０は具体的には、
支払チャネルによってサポートされる一組の通貨種類を判定する判定サブユニットと、
通貨種類が一組の通貨種類に属するかどうかを判断する判断サブユニットと、を含み、
それに応じて、切替ユニット４３０は具体的には、
通貨種類が一組の通貨種類に属さない場合、支払チャネルを、通貨種類をサポートする支払チャネルに切り替えるように構成される。
【０１１０】
任意選択の実装例では、
切替ユニット４３０は具体的には、
通貨種類をサポートする第２の支払チャネルを取得する取得サブユニットと、
第２の支払チャネルの過去の使用情報に従って、第２の支払チャネルから切り替えられるべき第２の支払チャネルを判定する判定サブユニットと、
支払チャネルを、切り替えられるべき第２の支払チャネルに切り替える切替サブユニットと、を含む。
【０１１１】
任意選択の実装例では、
判定サブユニットは具体的には、
第２の支払チャネルの過去の使用数に従って、切り替えられるべき第２の支払チャネルとして、最大の過去の使用数を伴う第２の支払チャネルを選択するように構成される。
【０１１２】
本実施形態によれば、支払チャネル切替中に、通貨種類をサポートする多数の第２の支払チャネルが同時にあり、そして第２の支払チャネルの過去の使用情報に基づいて、切り替えられるべき第２の支払チャネルとして、最大の過去の使用数を伴う第２の支払チャネルが選択されることができ、その結果切替後の支払チャネルはユーザの過去の使用習慣により即している。
【０１１３】
任意選択の実装例では、
判定サブユニットは具体的には、
第２の支払チャネルの最新の使用時間に従って、切り替えられるべき第２の支払チャネルとして、最近の使用時間を伴う第２の支払チャネルを選択するように構成される。
【０１１４】
本実施形態によれば、支払チャネル切替中に、通貨種類をサポートする多数の第２の支払チャネルが同時にあり、そして第２の支払チャネルの過去の使用情報に基づいて、切り替えられるべき第２の支払チャネルとして、最近の最新の使用時間を伴う第２の支払チャネルが選択されることができ、その結果切替後の支払チャネルはユーザの過去の使用習慣により即している。
【０１１５】
上記実施形態に記載されるシステム、装置、モジュールまたはユニットは、コンピュータチップもしくはエンティティによって、または特定の機能を有する製品によって実装されてもよい。典型的な実装装置はコンピュータであり、そしてコンピュータの具体的な形態は、パーソナルコンピュータ、ラップトップコンピュータ、セルラ電話、カメラ電話、スマートフォン、携帯情報端末、メディアプレーヤ、ナビゲーション装置、電子メール送受信装置、ゲーム機、タブレットコンピュータ、ウェアラブル装置またはその組合せであってもよい。
【０１１６】
上記装置における様々なユニットの機能および効果の実装例は、上記方法における対応するステップの実装例に詳細に記載されており、本明細書に詳細に記載されることはない。
【０１１７】
装置実施形態は実質的に方法実施形態に対応する。したがって、装置実施形態の関連部分に関しては、ここで方法実施形態の説明に部分的に参照がなされることになる。上記した装置実施形態は単に例証的である。分離部材によって例示されるユニットは物理的に分離されてもまたはされなくてもよく、ユニットとして図示される部品は物理ユニットであってもまたはなくてもよく、一箇所に設けられてもまたは多数のネットワークユニットに分散されてもよい。モジュールの一部または全てが、本発明の目的を達成するために実際的な要件に従って選択されてもよい。当業者は、本発明がいかなる発明的努力も要することなく理解および実装するであろう。
【０１１８】
本出願の他の実施形態は、本明細書の考察およびここに開示した本開示の実施から、当業者にとって明らかであろう。本出願は、その一般原則に従い、そして当該技術で公知のまたは慣習的な実施内に入るような本出願からの逸脱を含む、本出願のいかなる変形、使用または応用も包含すると意図される。本明細書および例が単に例証的と考えられ、本出願の真の範囲および趣旨が以下の請求項によって示されることが意図される。
【０１１９】
上記されかつ添付図面に例示された厳密な構成に本出願が限定されないこと、およびその範囲から逸脱することなく様々な修正および変更がなされることができることが認識されるであろう。本出願の範囲が添付の請求項によってのみ限定されることが意図される。
【図１】
0006955012.tif 000002
【図２】
0006955012.tif 000003
【図３】
0006955012.tif 000004
【図４】
0006955012.tif 000005
【図５】
0006955012.tif 000006
【図６】
0006955012.tif 000007
【図７】
0006955012.tif 000008
【図８】
0006955012.tif 000009
【図９】
0006955012.tif 000010
【図１０】
0006955012.tif 000011